(57)【要約】個々に使用することもでき、また複数のモジュールを集合して並べた状態に容易に取り付けることもできる液体スプレーモジュールに関する。各モジュールは、液体をスプレーし方向付ける液体通路と、加圧エアを方向付けて液体の噴霧化を支援しバルブニードルの動作を制御する１つ以上のエア通路とを有するスプレーガンカートリッジを含む。各スプレーガンカートリッジは、スプレーガンカートリッジが取外し可能に取り付けられる中央穴部と、液体スプレーガンカートリッジ通路とエアスプレーガンカートリッジ通路に通じる液体入口通路、液体出口通路、エア入口通路、エア出口通路とを有するマニホールドボディを更に含む。スプレーガンカートリッジは、流体供給ラインをマニホールドボディから切断することなく、またマニホールドボディをかかるスプレーモジュールの集合取付けアレーから取り外すことなく、マニホールドボディから取り外すことができる。
2006513029.tif 000002
【特許請求の範囲】
【請求項１】
中央液体通路を有する細長いカートリッジボディを備えたスプレーガンカートリッジを備え、
前記カートリッジボディの液体通路と通じる液体噴射オリフィスを有する前記カートリッジボディの噴射端におけるスプレーノズルを備え、
前記カートリッジボディ内で往復運動をして前記噴射オリフィスに通じる液体通路を制御するよう取り付けられたバルブニードルを備え、
前記カートリッジボディが、シリンダ制御用エア通路を有し、該シリンダ制御用エア通路に向けて加圧エアが送られることにより前記バルブニードルがオン位置とオフ位置との間で往復運動を行うようになっており、
前記カートリッジボディが、噴霧用エア通路を有し、該噴霧用エア通路に向けて加圧エアが送られることにより、前記ノズルから噴射される液体の噴霧が支援されるようになっており、
全体に延びる細長い穴部を有し、前記穴部に前記スプレーガンカートリッジが取り外し可能に取り付けられるマニホールドボディを備え、
前記スプレーガンが前記マニホールドボディの穴部に取り付けられる場合において、前記マニホールドボディは流体供給ラインと接続するためその共通する側に液体入口通路と少なくとも１つの加圧エア入口とを有することにより、液体が前記スプレーガンカートリッジの液体通路に通じ、加圧エアが前記シリンダ制御用エア通路と噴霧用エア通路に通じ、さらに
前記流体供給ラインを前記マニホールドボディから取り外さずに、前記スプレーガンを前記マニホールドボディから取り外すことができるようになっている、液体スプレーモジュール。
【請求項２】
前記スプレーガンカートリッジが前記マニホールドボディの穴部内で支持され、スプレーノズルが前記マニホールドボディの一端から外側に延び、前記カートリッジの上流端が前記マニホールドボディの反対端から外側に延びる、請求項１記載の液体スプレーモジュール。
【請求項３】
前記マニホールドボディがその上端と下端を通って延びる前記穴部を有する略矩形のブロックであり、前記液体入口通路と前記エア入口通路が前記マニホールドボディの一の側から延びて前記穴部と通じている、請求項１記載の液体スプレーモジュール。
【請求項４】
前記スプレーノズルが選択的に取り外し可能なエアキャップを含み、前記モジュールが前記マニホールドボディの穴部に取付け可能で、前記カートリッジを前記マニホールドボディから取り外さずにノズルからの取り外し又は取り替えができるように前記エアキャップがマニホールドボディの下方に配置されている、請求項２記載の液体スプレーモジュール。
【請求項５】
前記マニホールドボディの穴部が前記マニホールドボディの上端と下端を通って延び、前記液体入口通路及び前記エア入口通路が前記マニホールドボディの一の側を通って前記穴部に通じ、前記マニホールドボディが、前記液体入口通路及び前記エア入口通路が形成された側の反対側にあたる前記マニホールドボディの側を通って前記穴部と通じている液体出口通路と少なくとも１つの加圧エア出口通路とを有する、請求項３記載の液体スプレーモジュール。
【請求項６】
前記スプレーガンカートリッジとマニホールドボディが、前記液体入口通路と液体出口通路との間、並びに前記エア入口通路とエア出口通路との間にそれぞれの周方向通路を画成する、請求項５記載の液体スプレーモジュール。
【請求項７】
前記カートリッジが前記マニホールドボディに取り付けられる場合において、前記マニホールドボディに２つの加圧エア入口通路が形成され、前記エア入口通路が、シリンダ制御用エア供給ラインに接続可能で前記カートリッジシリンダ制御用エア通路に通じるシリンダ制御用エア入口通路と、噴霧用エア供給ラインに接続可能で前記カートリッジ噴霧用エア通路に通じる噴霧用エア入口通路とを含む、請求項１記載の液体スプレーモジュール。
【請求項８】
前記液体、噴霧用エアおよびシリンダ制御用エアの通路を互いから密閉するため、前記カートリッジの外周と前記マニホールドボディの穴部との間に挿入された複数の環状シーリング部材を含む請求項７記載の液体スプレーモジュール。
【請求項９】
前記カートリッジボディとマニホールドの穴部が下流方向に内向きに先細りになっている請求項１記載の液体スプレーモジュール。
【請求項１０】
前記カートリッジが前記穴部に取り付けられる場合において、前記ノズルボディの穴部が下流方向に径が漸次小さくなる複数の段を画成し、各段においてマニホールドの穴部とカートリッジとの間に少なくとも１つの環状シーリング部材が含まれる、請求項９記載の液体スプレーモジュール。
【請求項１１】
前記段のそれぞれが略円筒形である請求項１０記載の液体スプレーモジュール。
【請求項１２】
前記バルブニードルが、バルブ閉位置とバルブ開位置との間において前記シリンダ制御用エア通路内の加圧空気の制御下で往復運動を行うよう取り付けられたピストンに接続し、バルブストップが前記バルブ開位置への移動時に前記バルブピストンの移動ストロークを制限し、液体制御部材が前記カートリッジボディの上端に回転可能に取り付けられ、前記バルブピストンストップが前記制御部材の回転に応じてピストン運動のストロークを選択的に変えるよう調整可能に位置決めされる、請求項１記載の液体スプレーモジュール。
【請求項１３】
前記制御部材を所定の回転位置に置くため前記回転可能な制御部材と前記カートリッジボディとの間にデテントを含む請求項１２記載の液体スプレーモジュール。
【請求項１４】
前記デテントが前記制御部材と前記カートリッジボディの一方に取り付けられたばね付勢式のデテント部材と、前記制御部材と前記カートリッジボディの他方に形成された、前記制御部材の選択された回転位置において前記デテント部材を収容する複数の周方向デテント凹部とを含む、請求項１３記載の液体スプレーモジュール。
【請求項１５】
前記マニホールドボディの出口通路を閉鎖するため前記マニホールドボディの一の側に取り付けられた取り外し可能なアダプタプレートを含む、請求項５記載の液体スプレーモジュール。
【請求項１６】
前記マニホールドボディ内の前記液体、シリンダ制御用エアおよび噴霧用エアの入口通路にそれぞれ通じる液体、シリンダ制御用エアおよび噴霧用エアの通路を有する前記マニホールドボディの一の側に取り外し可能に取り付けられたアダプタプレートを含み、前記アダプタプレートに接続する液体、シリンダ制御用エアおよび噴霧用エアの供給ラインが前記アダプタプレートの液体、シリンダ制御用エアおよび噴霧用エアの通路にそれぞれ通じる、請求項１５記載の液体スプレーモジュール。
【発明の詳細な説明】
【発明の分野】
【０００１】
本発明は全般にスプレーガン式の液体スプレー装置に関し、特に集合もしくはマニホールドアレー状に連結して用いるのに適したスプレーガンモジュールに関する。
【発明の背景】
【０００２】
例えば、米国特許5,707,010号明細書及び同5,899,387号明細書などで説明されているように、加圧エアを使用することにより液体の噴霧化を促してスプレーするとともに往復液体制御バルブニードルを作動させる液体スプレーガンがよく知られている。スプレーガンに接続しなければならない流体供給ラインは多数あるので、かかるスプレーガンをそれぞれの供給管に取り付けて接続することは、特に複数のスプレーガンが共通の流体供給源に連結されるべき場合には、困難で取り扱いにくいことがある。更に、特定のスプレー用途については、複数のかかるスプレーガンを並べてアレー状に取り付けることが望ましい場合がしばしばあるが、この場合、かかる取付けは複雑になり得るだけでなく、修理や取替えの際にはアレー全体を分解しなければ個々のスプレーガンを取り外すことが困難である場合がある。更に、かかるアレー状に取り付けられた場合、個々のスプレーガンからの液体噴射を調整することが困難であり得るとともに、噴射スプレーの適切な方向合せを保証することが困難になり得る。
【発明の目的及び概要】
【０００３】
本発明は、個々に使用する場合や、複数のスプレーガンモジュールを連結して使用する場合に、簡単に取り付けることができる液体スプレーガンモジュールを提供することを目的とする。
【０００４】
本発明は更に、集合アレー状もしくはマニホールドアレー状に並設するが容易に可能で、アレーのスプレーガンモジュールに共通の流体サプライから加圧エアと液体が供給される上記を特徴とするスプレーガンモジュールを提供することを目的とする。
【０００５】
本発明は更に、個々のスプレーガンを容易に取り外したり取り替えたりすることができる前記タイプのスプレーガンモジュールの集合アレーを提供することを目的とする。
【０００６】
本発明は更に、スプレーガンモジュールの噴射液体流速とスプレー特性が個々に制御され調整されることが可能な上記種類のスプレーガンモジュールの集合アレーを提供することを目的とする。
【０００７】
本発明は更に、構成が比較的単純で経済的であって、動作と使用に信頼性が置ける上記タイプのスプレーガンモジュールを提供することを目的とする。
【０００８】
本発明のこの他の目的と利点は、以下の詳細な説明と図面を参照することによって明らかになるであろう。
【０００９】
本発明は様々な変形例や代替構成が可能であるが、図面には例示された発明の実施形態が示されている。以下、これらの実施形態について詳細に説明を行う。ただし、本発明はここに開示する特定の形態に限定されるものではなく、本発明は、本発明の精神と範囲においてすべての変形例、代替構成、及び同等物を網羅するものである。
【好適な実施形態の詳細な説明】
【００１０】
より詳細に図面を参照すると、図面には、本発明による、例示されたスプレーガンモジュール１０が示されている。モジュール１０は、スプレーガンカートリッジ１１を含んでいる。この場合スプレーガンカートリッジ１１は下向きに液体スプレーを噴射するよう垂直方向に配置されている。例示されたスプレーガンカートリッジ１１は、噴射端にスプレーノズルアッセンブリ１２を有するカートリッジボディ１４と、液体スプレーの噴射を制御する往復バルブニードル１５とを備える。
【００１１】
図３及び図４に最もよく示されているカートリッジボディ１４は、略円筒形の前ボディ部１４ａと後ボディ部１４ｂを備えた細長い２部構成を有する。前ボディ部１４ａと後ボディ部１４ｂはねじ切された内部接続部１９によって互いに結合されている。カートリッジボディ１４は、液体入口１６、シリンダ制御用エア入口１７及び噴霧用エア入口１８を有している。液体入口１６は、バルブニードル１５を取り巻く中央液体通路２０に通じている。バルブニードル１５は、ボディ１４を同軸上に通ってノズルアッセンブリ１２まで延びる長い円筒形要素である。バルブニードル１５は、前ボディ部１４ａにおける開口部２１を通って延び、環状スリーブ２２によって往復運動が可能なように支持されている。この環状スリーブ２２は、その一端はボディ部１４ａの内部で、またその他端はボディ部１４ａの後端に螺合されたパッキングナット２４によって支持されている。環状シールは、支持スリーブ２２の両端部に設けられている。
【００１２】
バルブニードル１５を動作させるため、後ボディ部１４ｂは、駆動ピストンアッセンブリ２８と、このピストンアッセンブリ２８の外側とボディ部１４ｂの内部端壁すなわち肩部との間に封じ込められた圧縮ばね２９とを有する。ピストンアッセンブリ２８は、ピストン３０と、ボディ部１４ｂ内に同軸に形成された円筒形の穴部の内面と摺動してシール係合する弾性環状カップ形シーリングリング３１とを含む。シーリングリング３１は、ピストン３０の後ステム部３８に螺合されたリテイナーキャップ３６によって固定された一対のクランピングリング又はワッシャ３４によってピストンアッセンブリ上の所定の位置に保持される。バルブニードル１５の拡径端部３９は、リテイナーキャップ３６の端壁とピストンステム部３８の外端との間に保持されることにより、ピストン３０に接続されている。また、環状ばね３７が介在して遊びを制限している。したがって、バルブニードル１５は、ピストンアッセンブリ２８の選択的軸方向運動に従って、ボディ１４内で軸方向に移動可能である。
【００１３】
圧縮ばね２９によってピストンアッセンブリ２８が付勢されると、バルブニードル１５は十分押し下げられた位置、すなわちバルブ「閉」位置に偏倚される。バルブニードル１５は、加圧エア又はその他の供給流体（本明細書においてはシリンダ制御用エアと称す）を入口ポート１７へ、更には移動可能なピストンアッセンブリ２８の前側に隣接するシリンダチャンバ４１内に供給することによって、ばね２９の力に逆らい反対方向に軸方向に動く。言うまでもなく、シリンダ制御用エアの供給は、例えばソレノイドバルブなどによって、外部から制御することができる。ニードル弁１５の開口を制御することにより液体をスプレーノズルアッセンブリ１５から噴射することが可能になる。これにより、バルブニードル１５はオン位置とオフ位置とを選択して作動されることが可能になるだけでなく、例えば毎分１８０回のオンオフといった高速サイクルオンオフモードで作動することも可能である。下流ベント通路３３（図３）は公知の態様で設けられている。
【００１４】
公知タイプであってもよいスプレーノズルアッセンブリ１２は、カートリッジボディ１４ａの下流端内に固定された略円筒形のノズルボディ４５を備える。このノズルボディ４５は、液体噴射口４８と、この噴射口４８を取り巻くように取り付けられたエアキャップ４９とを画成する前方に延びたノーズ部を有する。エアキャップ４９は、カートリッジボディ１４の下流端に螺合されたナット５０によって保持される。
【００１５】
ノズルボディ４５は、液体噴射を制御するバルブニードル１５と係合可能な噴射オリフィス４８の上流にあるバルブシートを画成している。噴霧化と液体噴射の形態を容易に所望のスプレーパターンにするため、ノズルボディ４５は複数の通路５１を有する。この複数の通路５１は、噴霧用エア入口１８に順次通じている環状チャンバ５２からの加圧エアを通す。ノズルボディのエア通路５１は、前方に延びるノズルボディのノーズ部とエアキャップ４９の中央開口部との間に画成された環状エア噴射オリフィス５５、並びに環状噴射オリフィス５５から間隔を介して外側に配置された複数の対向する又は周囲を取り巻くエアキャップ噴射オリフィス５６に通じている。
【００１６】
本発明によれば、スプレーガンカートリッジはマニホールドボディに取り外し可能に取り付けられ、加圧流体が容易にスプレーガンカートリッジに供給されるようにし、これによりかかるモジュールが容易に集合アレー状またはマニホールドアレー状に取り付けられるようになる。特に、マニホールドボディはスプレーガンカートリッジを支持するとともに、複数のスプレーモジュールの相互接続を可能にする流体通路システムを画成する。本実施形態においては、マニホールドボディ全体を通って延びる中央の略円形の穴部６１を有する略矩形ブロック形状のマニホールドボディ６０が設けられている。この円形の穴部６１の内部には、スプレーガンカートリッジ１１が取り外し可能に取り付けられる。スプレーガンカートリッジ１１は、マニホールドボディ６０全体を通って延びることが好ましい。このとき、下側下流端はマニホールドボディ６０の下方に露出されるのでスプレーノズルエアキャップ４９の取外しや取替えが可能となり、またマニホールドボディ６０上方に延びるカートリッジ１１の上部端には簡単にアクセスできるようになっている。
【００１７】
加圧液体及び加圧エアをマニホールドボディ６０に、またはマニホールドボディ６０から供給するために、マニホールドボディ６０には、中央の穴部６１に通じる一方の側にシリンダ制御用エア入口通路６４、液体入口通路６５、噴霧用エア入口通路６６が、また他の側にシリンダ制御用エア出口通路６８、液体出口通路６９、噴霧用エア出口通路７０が形成されている。この場合、入口通路６４、６５、６６は垂直方向に並んで配置され、中央の穴部６１の半径方向にマニホールドボディ６０を通って連通している。また出口通路６８、６９、７０は、入口通路に対して直径方向の反対にあるマニホールドボディ６０の相対する側に形成される。スプレーガンカートリッジ１１をマニホールドボディの穴部６１内に位置決めすると、シリンダ制御用エア入口通路６４、液体入口通路６５、噴霧用エア入口通路６６はスプレーガンカートリッジのシリンダ制御用エア入口１７、液体入口１６、噴霧用エア入口１８にそれぞれ通じる。
【００１８】
シリンダ制御用エア供給ライン７４、液体供給ライン７５、カートリッジエア供給ライン７６をモジュール１０に容易に接続するため、この場合アダプタプレート７８が、ボルト７９などによってマニホールドボディ６０の入口側に固定され、このアダプタプレート７８には、それぞれの供給ライン接続金具７４ａ、７５ａ、７６ａを収容する入口通路６４、６５、６６と同軸に設けられた対応ののねじポートが形成されている。マニホールドボディ６０には、Oリングシール８０が、アダプタプレート７８との境界面における入口通路６４、６５、６６の外側に開口したもみ下げ穴の内部に備えられる。例示したマニホールド６０とアダプタプレート７８は、シリンダ制御用エア通路と噴霧用エア通路を別個に有してもよい。或いは、単独に加圧エア通路を設けて加圧エアをカートリッジボディ１４内において相互接続したシリンダ制御用エア通路と噴霧用エア通路の単一又は複数の入口に供給してもよい。
【００１９】
本発明の実施において、スプレーガンカートリッジ１１とマニホールドボディ６０は、マニホールドブロックの流体入口通路６４、６５、６６と出口通路６８、６９、７０との間を連絡する通路を画成する。本実施形態において、カートリッジボディ部１４ａには、一対の周溝８５、８６が形成されている。この周溝８５、８６は、カートリッジボディ全周を取り囲み、各入口通路６５、６６と各出口通路６９、７０との間をそれぞれ連絡する略円形の流体通路を画成する。第３の環状通路８８は、スプレーガンカートリッジボディ１４とマニホールドブロック６０との間に形成され、ピストンチェンバ４１とともに、シリンダ制御用エア入口通路６４とシリンダ制御用エア出口通路６８との間において、カートリッジ１１の周りに周方向に加圧エアを通ずることを可能にする。噴霧用エア通路、シリンダ制御用エア通路、液体通路を互いから密閉するため、複数のOリングシール８９が、カートリッジボディ１４の外周面とマニホールドの穴部６１の内周面との間に挿入されており、この場合、複数のOリングシール８９それぞれがカートリッジボディ１４内の各外側環状溝内に部分的に収容され保持される。最上部シール８７は、マニホールドボディの内径６１内に収容されている。
【００２０】
スプレーガンカートリッジをマニホールドボディ６０に容易に挿入したりマニホールドボディ６０から容易に取り外したりするために、カートリッジボディ１４とマニホールドの穴部６１は下流方向に内側向きに段差が設けられている（図３に最も分かり易く図示）。これは、径を漸次小さくした複数の略円筒形の側壁部または段を設けることによって画成されている。かかる段差設計によって、スプレーガンカートリッジ１１がマニホールドボディの穴部６１内に十分位置決めされてから、シーリングOリング８９がマニホールドの穴部６１の側壁に係合することが可能になることが分かるであろう。これによって、カートリッジ１１が複数のOリング８９の抵抗に逆らって挿入されるべき距離が最小化されるとともに、Oリングの磨耗や潜在的損傷リスクが軽減される。スプレーガンカートリッジ１１をマニホールドボディ６１内で適切な方向に保持するため、マニホールドボディ６０内の開口部に通したねじ付きボルト９０は、カートリッジボディ１４ａ内の開口部と係合するばね付勢式のデテント９０ａを有する（図３）。カートリッジを容易に取り外すためには、ロックボルト９０を緩める方向に回転すれば良い。
【００２１】
本発明によれば、スプレーガンモジュール１０は、個々で使用してもよいし、集合アレー状に取り付けてもよい。個々で使用する場合、マニホールドブロック６０は、図１に示したように支持フランジ又はプレート９２にボルト止めして、アダプタプレート７８は、マニホールドボディ６０の入口側にボルト締めして流体供給ライン７４〜７６の接続を助けるようにしてもよい。個々で使用する場合に、通路を有さないもの、またはプラグで通路を塞いだアダプタプレート９４を、ボルトによってマニホールドブロック６０の出口側に固定し、マニホールドブロックの出口通路６８〜７０を閉鎖してもよい。スプレーモジュール１０がこのように取り付けられる場合、モジュール１０は、液体供給ライン７４、噴霧用エア供給ライン７５、シリンダエア供給ライン７６に簡単に接続して所望の液体スプレー噴射の方向付けを行うことができる。
【００２２】
更に本発明によれば、スプレーモジュール１０は、図２、図８に示したように、複数のかかるモジュールから構成される並び合った集合アレー状もしくはマニホールドアレー状に簡単に取り付けることに適している。ここで、個々のスプレーモジュール１０は、特別なツールや締結具なしで圧力嵌めされてモジュールに密閉取付け結合されることが可能な流体供給管９６によって相互接続される。例示の本実施形態においては、各モジュール１０のマニホールドボディ６０は互いに長手方向に間隔をあけて共通の細長い支持プレート９８にボルト締め又はその他の方法で取り付けられる。図８に１０Ｆとして示した流体供給側からのアレーにおける第１のモジュールは、上記の通り、アダプタプレート７８によってシリンダ制御用エア供給ライン７４、液体供給ライン７５、噴霧用エア供給ライン７６に接続している。その下流にある中間スプレーモジュール１０（そのうち１つのみを図８に１０Ｉとして示してある）は、１つのモジュールの出口通路６８〜７０と隣接するモジュールの入口通路６４〜６６との間に圧力嵌めされて密閉することができる各流体供給管９６によって間隔をあけて接続される。本実施形態において、中間モジュール１０Ｉのマニホールドボディは、図１０に示すように、マニホールドボディ１０の側面から内側にくぼんだ溝９９に保持された入口通路と出口通路にはめられたOリング８０を有する。この場合、第１のスプレーモジュール１０Ｆは、マニホールドブロック９６の入口側に固定されたアダプタプレート１００を有する。これは図９に示したように、Oリング８０を流体供給管９６と密閉係合するようにかかる側で保持する。１０Ｌで示したアレーの最後のモジュールは、マニホールドボディ６０の入口側に同様のOリングを有するアダプタプレート１００と、出口通路６８〜７０を閉鎖する出口側のブランクすなわち栓をされたアダプタプレート９４とを保持する。当業者には、アレーには任意の数の中間モジュール１０Ｉを設けてもよいこと、並びに各中間モジュールは、モジュールの入口側と出口側との間に流体供給管９６を挿入することによって、隣接するモジュール間がすばやく接続可能であることが明らかであろう。
【００２３】
更に本発明の実施においては、共通の流体供給ラインによる集合相互接続がなされていても、個々のノズルの流速を個々に調整する手段が設けられている。このため、各スプレーモジュール１０は、簡単にアクセスして使用できるようその上側端に個々の流量制御ノブ１０５を有する。流量制御ノブ１０５は、ノブ１０５に応じて延び、ねじ１０８によってノブ１０５に固定される軸ステム１０６によってカートリッジボディ１４に回転可能に支持される。ステムは、カートリッジボディ内の中央内径を通って延び、ステム１０６の最下部端において小型の外側に延びるフランジ１０９によって軸方向の動きに逆らうように保持される。ステム１０６は、下向きに開口したねじ開口部１０７を有し、このねじ開口部１０７内に、下向きに延びるプランジャストップ１１１のねじシャフト１１０がはめ込まれている（図１１及び図１３を参照）。プランジャストップ１１１は、カートリッジボディ１４ｂ内の相補的形状のカウンタボア１１２内で軸方向に移動可能な、六角形状下側ヘッドを有する。スプレーモジュール１０の所望の流速を選択的に確立するため、制御ノブ１０５の回転によってプランジャストップ１１１が軸方向に前進、又は後退して、バルブニードルリテイナーキャップ３６のストローク距離「ｄ」が設定される。当業者には、バルブニードル１５のストロークが漸次大きくなることによって、液体噴射量が漸次多くなることが分かるであろう。
【００２４】
液体噴射を容易に精確に調整できるようにするため、この場合、制御ノブ１０５はその下側に下向きのばね付勢式のデテント１１５を有する。このばね付勢式デテント１１５は、カートリッジボディ１４６の上側端にある連続的に円周上に間隔をおいたデテント凹部１１６の間を移動可能である。プランジャストップのシャフト１１０と隣接するノブステム１０６のスピンドルとの間のねじ山ピッチに応じて、所定の流速変化は、デテント凹部１１６の作用による連続したデテントの各停止間におけるノブの所定の段階的な回転運動にもとづいて実現可能である。各デテント凹部により調整ノブの回転がなされて流速の５％に対応する距離分だけプランジャストップ１１１が軸方向に移動する場合、例えば４つのデテントによる調整的な移動によって、流速は２０％変化する。当業者は、かかる制御ノブ１０５にはユーザが容易にアクセスできるので、集合アレー状に並んだ個々のスプレーモジュール１０の流速は所望のスプレー用途に応じて精確に設定できることが分かるであろう。したがって、流速の調整は、制御ノブの回転に付随して起きる触知できるデテントのクリック回数を数えることによって容易に実現し制御することができる。あるいは、適切な調整マークをモジュールに設けることができる。
【００２５】
上記から、本発明のスプレーモジュールは流体供給ラインに容易に接続可能で、スプレーガンカートリッジは修理及び／又は取替えの際に取り外すことができることがわかる。また、スプレーモジュールは、並び合った集合アレー状もしくはマニホールドアレー状に各モジュールを接続して共通の流体サプライに接続するのに適している。ただし、スプレーモジュールが集合取り付けされていても、個々のスプレーカートリッジは取外し可能で取替え可能であり、個々のノズルの流速は選択的に調整し制御することができる。更に、スプレーモジュールは比較的単純な構成を有するので、製造は経済的であり動作は信頼性のおけるものである。
【図面の簡単な説明】
【００２６】
【図１】本発明による例示のスプレーガンモジュールの分解斜視図である。
【図２】集合もしくはマニホールド状に並び合った状態で取り付けられた本発明による複数のスプレーガンモジュールの斜視図である。
【図３】線３−３の面に沿った図１に示したスプレーガンモジュールの拡大縦断面図である。
【図４】図３の線４−４の面に沿った本発明の例示されたスプレーガンモジュールの拡大縦断面図である。
【図５】図４の線５−５の面に沿った本発明の例示されたスプレーガンモジュールの水平断面図である。
【図６】図４の線６−６の面に沿った本発明の例示されたスプレーガンモジュールの水平断面図である。
【図７】図４の線７−７の面に沿った本発明の例示されたスプレーガンモジュールの水平断面図である。
【図８】図２の線８−８の面に沿ったスプレーガンモジュールの集合アレーの拡大縦断面図である。
【図９】図８において丸で囲った領域の拡大部分断面図である。
【図１０】図８において丸で囲った別の領域の拡大部分断面図である。
【図１１】バルブ制御機構を表した、本発明の例示されたスプレーガンモジュールの拡大縦部分断面図である。
【図１２】図１１の線１２−１２の面に沿った水平断面図である。
【図１３】図１１の線１３−１３の面に沿った水平断面図である。
【図１】
2006513029.tif 000003
【図２】
2006513029.tif 000004
【図３】
2006513029.tif 000005
【図５】
2006513029.tif 000006
【図６】
2006513029.tif 000007
【図７】
2006513029.tif 000008
【図８】
2006513029.tif 000009
【図９】
2006513029.tif 000010
【図１０】
2006513029.tif 000011
【図１１】
2006513029.tif 000012
【図１２】
2006513029.tif 000013
【図１３】
2006513029.tif 000014
【図４】
2006513029.tif 000015
【国際調査報告】
2006513029.tif 000016